(57)【特許請求の範囲】
【請求項１】
水平方向に並設した二つの建物ユニットを連結する建物ユニットの連結構造であって、
前記建物ユニットは、四本の柱、これらの四本の柱の上端間を連結する上梁、および前記四本の柱の下端間を連結する下梁を含む骨組みと、この骨組み内の上部に組み付けられた天井面材とを備え、
前記天井面材の上面には、上梁にかけて断熱材が設置され、
前記二つの建物ユニットの間には、これらの建物ユニットに跨って各建物ユニットの前記天井面材を連結する天井ジョイントパネルが設置され、
この天井ジョイントパネルの上面側で対向する前記各建物ユニットの上梁の間には、グラスウールまたはロックウールで形成された天井断熱材が前記上梁の上方に跨る状態で屈曲され、かつ、前記上梁と直交する方向の端部が前記天井面材に設けられた前記断熱材にそれぞれ結合されて設けられていることを特徴とする建物ユニットの連結構造。
【請求項２】
請求項１に記載した建物ユニットの連結構造において、前記天井断熱材が設けられた上梁の間には、これらの上梁に跨る遮音シートが配置されていることを特徴とする建物ユニットの連結構造。
【請求項３】
請求項２に記載した建物ユニットの連結構造において、前記遮音シートは、前記天井断熱材と前記上梁との間に介装されていることを特徴とする建物ユニットの連結構造。
【発明の詳細な説明】
【０００１】
【発明の属する技術分野】
本発明は、水平方向に並設した二つの建物ユニットを連結する建物ユニットの連結構造、および上下に積層した二つの建物ユニットを連結する建物ユニットの連結構造に関する。
【０００２】
【背景技術】
近年、工業化率を高めて現場での施工期間を短縮するために、予め工場で製造した箱形の建物ユニットを現場まで搬送し、現場においてこれらの建物ユニットを基礎上に組み立てて施工するユニット工法が多用されている。
このユニット工法に用いられる建物ユニットは、柱および梁等からなる骨組み内に天井面材や壁面材等を組み付けて製造され、建設現場において基礎上の所定位置に配置される。この後、水平方向に隣接する二つの建物ユニットの各天井面材の間には、これら二つの建物ユニットに跨る天井ジョイントパネルを配置して、天井面材を相互に接続するようにしていた。同様にして、隣接する建物ユニットの各壁面材の間には、壁面材同士を連結する壁ジョイントパネルを設置して壁面材同士を接続していた。
【０００３】
【発明が解決しようとする課題】
しかし、これらの天井ジョイントパネルおよび壁ジョイントパネルにより二つの建物ユニットの継ぎ目部分の断熱性、気密性を高めるためには、天井ジョイントパネルと天井面材、壁ジョイントパネルと壁面材をそれぞれ気密に接合しなければならず、現場合わせの加工等、建設現場での接合作業が煩雑であった。
【０００４】
本発明の目的は、特別な作業を必要とせずに二つの建物ユニットの継ぎ目部分に断熱性および気密性を確保できる建物ユニットの連結構造を提供することにある。
【０００５】
【課題を解決するための手段】
本発明は、図面を参照して説明すると、水平方向に並設した二つの建物ユニット１０を連結する建物ユニットの連結構造であって、前記建物ユニットは、四本の柱２１、これらの四本の柱２１の上端間を連結する上梁（２２，２３）、および前記四本の柱の下端間を連結する下梁（２４，２５）を含む骨組み２６と、この骨組み内の上部に組み付けられた天井面材３１とを備え、前記天井面材３１の上面には、上梁にかけて断熱材３５が設置され、前記二つの建物ユニットの間には、これらの建物ユニットに跨って各建物ユニットの前記天井面材を連結する天井ジョイントパネル４１が設置され、この天井ジョイントパネルの上面側で対向する前記各建物ユニットの上梁の間には、グラスウールまたはロックウールで形成された天井断熱材４２が前記上梁の上方に跨る状態で屈曲され、かつ、前記上梁と直交する方向の端部が前記天井面材３１に設けられた前記断熱材３５にそれぞれ結合されて設けられていることを特徴とする。
【０００６】
本発明では、二つの建物ユニットの間で対向する上梁に跨って天井断熱材が設置されるため、これらの上梁の間には天井ジョイントパネルとともに天井断熱材が架設されることになるから、特別な作業を必要とせずに建物ユニットの継ぎ目部分に十分な断熱性および気密性を確保できる。
また、天井断熱材として多孔質材料等の密度の低い材料を用いれば、音の吸収性が高いので、建物ユニットの継ぎ目部分の遮音性を高めることができる。
さらに、天井断熱材は上梁の上方に跨って配置されるので、骨組み内に組み付けられた天井面材やそれらを連結する天井ジョイントパネルに干渉することなく簡単に設置できる。天井断熱材の設置にあたっても、一端を予め一方の建物ユニットの天井面材の上面側に固定しておけば、建物ユニットの配置後に、他端側を二つの建物ユニットの上梁に上方から被せるだけで容易に施工できる。
これらにより、前記目的が達成される。
【０００７】
また、前記天井断熱材が設けられた上梁の間には、これらの上梁に跨る遮音シート４３が配置されていることが望ましい。
【０００８】
このように二つの建物ユニットの間で対向する上梁の間に遮音シートを配置すると、これらの上梁の間からの音の漏れを確実に低減できるようになるから、建物ユニットの継ぎ目に優れた遮音性を確保できる。
【０００９】
前述した遮音シートは、天井ジョイントパネルと上梁との間に介装してもよいが、遮音シートは、天井断熱材と上梁との間に介装されていることが望ましい。
【００１０】
このようにすれば、遮音シートは、天井断熱材と上梁との間に挟み込むだけで簡単に施工できる。
また、遮音シートは上梁の上方に配置されているので、露出する虞れがなくなり、寸法を厳密に形成しなくてもよくなるから、簡単に製造できる。
さらに、遮音シートは天井断熱材とともに上梁の上方から設置できるから、下方から取り付けるよりも簡単に設置できる。
【００１９】
【発明の実施の形態】
以下、本発明の一実施形態を図面に基づいて説明する。
図１には、本実施形態の二階建てのユニット式建物１が示されている。このユニット式建物１は、基礎２上に複数の箱形の建物ユニット１０を組み合わせて積層配列した建物本体３と、この建物本体３の上に図示しない屋根パネル等を配置して構成された屋根４とを備えている。ユニット式建物１の一階部分１Ａは、基礎２上に隣接配置された建物ユニット１０により構成され、これらの一階部分１Ａ上に隣接配置された建物ユニット１０により二階部分１Ｂが構成されている。
【００２０】
このような建物ユニット１０のうち、一階部分１Ａを構成する建物ユニット１１は、図２に示すように、四本の柱２１と、これらの四本の柱２１の上端間を連結する長辺上梁２２および短辺上梁２３と、四本の柱２１の下端間を連結する長辺下梁２４および短辺下梁２５（各一本のみ図示）とを含む略直方体形状の骨組み２６を備え、長辺上梁２２の間には所定間隔で小梁２７が架設され、長辺下梁２４の間には所定間隔で根太２８が架設されている。この骨組み２６内には、石膏ボード等からなる天井面材３１、床面材３２および壁面材３３が組み付けられ、天井面材３１は小梁２７に、床面材３２は根太２８にそれぞれ取り付けられている。
【００２１】
なお、この建物ユニット１１と同様に、他の建物ユニット１０も骨組み２６、小梁２７、根太２８、天井面材３１および床面材３２を備え、適宜壁面材３３が組み付けられている。
【００２２】
図１に戻って、ユニット式建物１においては、建物ユニット１１，１２が互いの長辺側が対向するように隣接配置されている。このように水平方向に並設された二つの建物ユニット１１，１２では、図３に示すように、互いの天井面材３１Ａ，３１Ｂが連結されている。
天井面材３１Ａ，３１Ｂは、それぞれ二枚の石膏ボード３１１，３１２を重ね合わせて構成され、その上面にはグラスウール或いはロックウールからなる断熱材３５が取り付けられている。なお、天井面材３１Ａ，３１Ｂは一枚の石膏ボードにより構成してもよい。
各天井面材３１Ａ，３１Ｂの端部は、それぞれ長辺上梁２２に沿って設けられた通し材３４と、短辺上梁２３（図２参照）に沿って設けられた図示しない通し材とに固定されている。この通し材３４は小梁２７を長辺上梁２２に結合するためのブラケット２９に取り付けられている。
【００２３】
このように構成された各建物ユニット１１，１２の天井面材３１Ａ，３１Ｂは、二つの建物ユニット１１，１２の間に設置された天井ジョイントパネル４１により連結されている。
天井ジョイントパネル４１は、二枚の石膏ボード４１１，４１２を重ね合わせて構成され、二つの建物ユニット１１，１２の間で対向する建物ユニット１１，１２の各長辺上梁２２Ａ，２２Ｂに跨って配置され、これらの長辺上梁２２Ａ，２２Ｂに沿って設けられた通し材３４に釘等の止着具（図示省略）および接着剤等により固定されている。
この天井ジョイントパネル４１は天井面材３１Ａ，３１Ｂと同じ厚さに形成され、これにより、天井ジョイントパネル４１および天井面材３１Ａ，３１Ｂが面一になっている。なお、天井ジョイントパネル４１は一枚の石膏ボードにより形成してもよい。
【００２４】
この天井ジョイントパネル４１の上面側で対向する長辺上梁２２Ａ，２２Ｂの間には、これらの長辺上梁２２Ａ，２２Ｂの上方に跨る天井断熱材４２が設けられている。この天井断熱材４２は、グラスウール或いはロックウールからなり、長辺上梁２２Ａ，２２Ｂと直交する方向の端部は、それぞれ各天井面材３１Ａ，３１Ｂの断熱材３５と結合されている。
【００２５】
また、長辺上梁２２Ａ，２２Ｂの間には、これらの長辺上梁２２Ａ，２２Ｂの各上面に跨って遮音シート４３が配置されている。この遮音シート４３は長辺上梁２２Ａ，２２Ｂと天井断熱材４２との間に介装され、長辺上梁２２Ａ，２２Ｂの間の隙間を塞いでいる。
【００２６】
このように構成された本実施形態の建物ユニット１１，１２は、次のような手順で連結する。
すなわち、工場において、予め、天井面材３１Ａの断熱材３５に天井断熱材４２の一方の端部を接合しておき、建設現場において、建物ユニット１１，１２を互いの長辺上梁２２Ａ，２２Ｂが隣接するように並列に配置してから、長辺上梁２２Ａ，２２Ｂの各上面に跨って遮音シート４３を上方から配置する。続いて、天井面材３１Ａの断熱材３５に取り付けておいた天井断熱材４２を、遮音シート４３の上に被せて長辺上梁２２Ａ，２２Ｂを覆い、その他方の端部を天井面材３１Ｂの断熱材３５に結合する。また、長辺上梁２２Ａ，２２Ｂの下側においては、長辺上梁２２Ａ，２２Ｂの通し材３４に下側から天井ジョイントパネル４１を固定する。
【００２７】
なお、天井断熱材４２は建物ユニット１２側に取り付けておいてもよい。また、遮音シート４３は接着剤等を用いて長辺上梁２１Ａ，２１Ｂや天井断熱材４２に接合してもよく、或いは、遮音シート４３は、工場において長辺上梁２１Ａ，２１Ｂのいずれかに予め接着しておいてもよい。
【００２８】
また、図示しないが、本実施形態のユニット式建物１では、隣接配置された建物ユニット１０の天井面材３１同士は、建物ユニット１１，１２と略同様な構造で連結され、天井ジョイントパネル４１の上面側で対向する長辺上梁２２Ａ，２２Ｂの各上面、または短辺上梁２３の各上面に跨って天井断熱材４２が配置されている。これにより、短辺方向に並ぶ建物ユニット１０同士、長辺方向に並ぶ建物ユニット１０同士がそれぞれ相互に連結されている。
【００２９】
一方、図１に戻って、並列に配置された建物ユニット１１，１２の屋外に面した短辺側の側面１１１，１２１には、図４に示すように、ＡＬＣ或いはＰＡＬＣ等からなる外壁材３６と、壁面材３３Ａ，３３Ｂとがそれぞれ組み付けられている。壁面材３３Ａ，３３Ｂは、芯材を矩形枠状に組んだ枠体３７（一部のみ図示）の片面に取り付けられてそれぞれ内壁パネル３８Ａ，３８Ｂを構成しており、その屋外側の面にはグラスウール或いはロックウールからなる断熱材３９が取り付けられている。
【００３０】
このように構成された建物ユニット１１，１２の各壁面材３３Ａ，３３Ｂは、二つの建物ユニット１１，１２の間に設置された壁ジョイントパネル５１により連結されている。
壁ジョイントパネル５１は、石膏ボード等からなり、二つの建物ユニット１１，１２の間で対向する柱２１Ａ，２１Ｂに跨って配置され、内壁パネル３８Ａ，３８Ｂの各枠体３７の柱２１Ａ，２１Ｂ側の端部に釘等の止着具（図示省略）および接着剤等により固定されている。
この壁ジョイントパネル５１は壁面材３３Ａ，３３Ｂと同じ厚さに形成され、これにより、壁ジョイントパネル５１および壁面材３３Ａ，３３Ｂが面一になっている。
【００３１】
この壁ジョイントパネル５１の屋外側で対向する柱２１Ａ，２１Ｂの間には、グラスウール或いはロックウールからなる壁断熱材５２が介装されている。
また、壁ジョイントパネル５１と柱２１Ａ，２１Ｂとの間には合成樹脂製の断熱発泡シート５３が介装され、気密性を確保できるようになっている。この断熱発泡シート５３は、例えば、発泡ポリエチレンシートであり、その端部が各内壁パネル３８Ａ，３８Ｂの枠体３７まで達するように、柱２１Ａ，２１Ｂの屋内側の側面に両面テープ等によって貼着されている。これにより、柱２１Ａ，２１Ｂと内壁パネル３８Ａ，３８Ｂとの間に隙間がなくなるから優れた断熱効果が得られる。
【００３２】
このように構成された本実施形態の建物ユニット１１，１２の壁面材３３Ａ，３３Ｂは、次のような手順で連結する。
すなわち、工場において、柱２１Ａの柱２１Ｂと対向する側面に壁断熱材５２を接着剤等により固定しておき、建設現場において、建物ユニット１１，１２を互いの柱２１Ａ，２１Ｂが隣接するように並列に配置する。これにより、建物ユニット１１の柱２１Ａに接合しておいた壁断熱材５２に建物ユニット１２の柱２１Ｂが当接され、壁断熱材５２は一対の柱２１Ａ，２１Ｂによって挟持される。この後、これらの柱２１Ａ，２１Ｂの屋内側の側面に断熱発泡シート５３を貼り付けて、これを覆う壁ジョイントパネル５１を内壁パネル３８Ａ，３８Ｂの各枠体３７に固定する。
【００３３】
なお、壁断熱材５２は建物ユニット１２側に取り付けておいてもよく、断熱発泡シート５３は、その一端を工場で予め柱２１Ａ或いは柱２１Ｂに取り付けておいてもよい。
【００３４】
また、図示しないが、本実施形態のユニット式建物１では、隣接する建物ユニット１０の屋外に面した側面を構成する壁面材３３同士は、建物ユニット１１，１２と同様な構造で連結されており、短辺方向に並ぶ建物ユニット１０同士、長辺方向に並ぶ建物ユニット１０同士がそれぞれ相互に連結されている。
【００３５】
このような本実施形態によれば、以下のような効果がある。
すなわち、二つの建物ユニット１０の間で対向する長辺上梁２２Ａ，２２Ｂに跨って天井断熱材４２が設置されるため、これらの長辺上梁２２Ａ，２２Ｂの間には天井ジョイントパネル４１とともに天井断熱材が４２架設されることになる。同様に、天井断熱材４２は二つの建物ユニット１０の間で対向する短辺上梁２３に跨って設置されるので、短辺上梁２３の間にも天井ジョイントパネル４１に加えて天井断熱材が４２が架設されることになる。従って、建物ユニット１０の継ぎ目部分に十分な断熱性および気密性を確保でき、ユニット式建物１全体の断熱性および気密性を高めることができる。
【００３６】
また、天井断熱材４２としてグラスウール或いはロックウールを用いたため、音の吸収性が高いから、建物ユニット１０の継ぎ目部分の遮音性を高めることができる。
【００３７】
さらに、天井断熱材４２は、長辺上梁２２Ａ，２２Ｂの上方または二つの建物ユニット１０の間で対向する短辺上梁２３の上方に跨って配置されるので、天井面材３１や天井ジョイントパネル４１に干渉することなく上梁２２，２３の上方から簡単に設置できる。
また、天井断熱材４２の設置にあたっても、一方の端部を予め一方の天井面材３１Ａの上面側の断熱材３５に固定しておくので、建物ユニット１０を基礎２上に設置した後に、長辺上梁２２Ａ，２２Ｂまたは短辺上梁２３に上方から被せるだけで容易に施工できる。
【００３８】
また、天井断熱材４２を設けた長辺上梁２２Ａ，２２Ｂの間にはこれらの長辺上梁２２Ａ，２２Ｂに跨る遮音シート４３が配置され、天井断熱材４２を設けた短辺上梁２３の間には、これらの短辺上梁２３に跨る遮音シート４３が配置されているので、これらの長辺上梁２２Ａ，２２Ｂの間、短辺上梁２３の間からの音の漏れを確実に低減できるようになるから、建物ユニット１０の継ぎ目に優れた遮音性を確保できる。
【００３９】
さらに、遮音シート４３は、天井断熱材４２と長辺上梁２２Ａ，２２Ｂとの間、天井断熱材４２と短辺上梁２３との間にそれぞれ介装されているので、天井断熱材４２と各上梁２２Ａ，２２Ｂ，２３との間に挟み込むだけで簡単に施工できる。また、遮音シート４３は、上梁２２Ａ，２２Ｂ，２３の上方に配置されているので、露出する虞れがなくなるから、寸法を厳密にしなくてもよくなり、簡単に製造できる。
さらに、遮音シート４３は天井断熱材４２とともに長辺上梁２２Ａ，２２Ｂや短辺上梁２３の上方から設置できるから、下方から取り付けるよりも簡単に設置できる。
【００４０】
二つの建物ユニット１０の間で対向する柱２１Ａ，２１Ｂの間には壁断熱材５２が介装されるため、柱２１Ａ，２１Ｂの間には、壁ジョイントパネル５１だけでなく壁断熱材５２が配置されることになるから、建物ユニット１０の継ぎ目部分に十分な断熱性および気密性を確保できる。
また、壁断熱材５２としてグラスウール或いはロックウールを用いたので、音の吸収性が高いから、建物ユニット１０の継ぎ目部分の遮音性を高めることができる。
さらに、壁断熱材５２は、建物ユニット１０の間で隣接する柱２１Ａ，２１Ｂの間に配置されるので、骨組み２６内に組み付けられた壁面材３３Ａ，３３Ｂやそれらを連結する壁ジョイントパネル５１に干渉することなく簡単に設置できる。また、設置にあたっても、壁断熱材５２を予め一方の柱２１Ａに固定しておけば、建物ユニット１０を並列配置するだけで容易に施工できる。
【００４１】
さらに、壁ジョイントパネル５１と柱２１Ａ，２１Ｂとの間には断熱発泡シート５３が介装されているので、柱２１Ａ，２１Ｂの間の隙間は、断熱発泡シート５３によっても塞がれることになるから、建物ユニット１０の継ぎ目部分の断熱性および気密性を一層向上させることができる。また、柱２１Ａ，２１Ｂは断熱発泡シート５３により覆われるため、柱２１Ａ，２１Ｂへの熱の移動を抑制できるようになり、柱２１Ａ，２１Ｂの熱伝導による断熱性の低下を防止できる。
【００４２】
なお、本発明は前記実施形態に限定されるものではなく、本発明の目的を達成できる他の構成等を含み、以下に示すような変形なども本発明に含まれる。
すなわち、前記実施形態では、天井断熱材４２が長辺上梁２２Ａ，２２Ｂの上方に跨って設置されていたが、図５に示すように、天井断熱材１４２は、長辺上梁２２Ａ，２２Ｂの間に介装してもよい。この天井断熱材１４２は、予め工場で長辺上梁２２Ａ，２２Ｂのいずれかに固定しておき、建設現場で建物ユニット１１，１２を並列に配置することにより長辺上梁２２Ａ，２２Ｂで挟み込むようにして設置する。
このような天井断熱材１４２を用いた構造でも、前記実施形態と同様な作用、効果を奏することができる。
【００４３】
また、遮音シート４３は長辺上梁２２Ａ，２２Ｂの下面側に設置してもよく、天井ジョイントパネル４１の長辺上梁２２Ａ，２２Ｂ側の面に取り付けてもよい。
【００４４】
前記実施形態では、水平方向に隣接する建物ユニット１０の壁面材３３同士を壁ジョイントパネル５１により連結するとともに、その外側で対向する柱２１間に壁断熱材５２を介装したが、上下に隣接する建物ユニット１０の壁面材３３同士を壁ジョイントパネルにより連結し、その外側で対向する上側の建物ユニット１０の長辺下梁２４および下側の建物ユニット１０の長辺上梁２２の間、或いは上側の建物ユニット１０の短辺下梁２５および下側の建物ユニット１０の短辺上梁２３の間に壁断熱材を介装し、これにより、上下に積層した建物ユニット１０同士を連結してもよい。
【００４５】
また、前記実施形態では、断熱発泡シート５３は柱２１Ａ，２１Ｂに取り付けられていたが、この断熱発泡シート５３は壁ジョイントパネル５１の柱２１Ａ，２１Ｂ側の面に取り付けてもよい。
【００４６】
【発明の効果】
以上に述べたように、本発明によれば、煩雑な接合作業を行うことなく、二つの建物ユニットの継ぎ目部分に断熱性および気密性を確保できる。
【図面の簡単な説明】
【図１】本発明の一実施形態を示す斜視図。
【図２】前記実施形態の建物ユニットの一部を破断して示す斜視図。
【図３】前記実施形態の天井面材の連結構造を拡大して示す断面図。
【図４】前記実施形態の壁面材の連結構造を拡大して示す断面図。
【図５】本発明の他の連結構造を示す拡大断面図。
【符号の説明】
１  ユニット式建物
１０，１１，１２  建物ユニット
２１，２１Ａ，２１Ｂ  柱
２２，２２Ａ，２２Ｂ  長辺上梁
２３  短辺上梁
２４  長辺下梁
２５  短辺下梁
２６  骨組み
３１，３１Ａ，３１Ｂ  天井面材
３３，３３Ａ，３３Ｂ  壁面材
４１  天井ジョイントパネル
４２，１４２  天井断熱材
４３  遮音シート
５１  壁ジョイントパネル
５２  壁断熱材
５３  断熱発泡シート
【図１】
0003797728.tif 000002
【図２】
0003797728.tif 000003
【図３】
0003797728.tif 000004
【図４】
0003797728.tif 000005
【図５】
0003797728.tif 000006